(57)【要約】【課題】  ユーザに撮影に関する用語の意味を容易に理解させる。【解決手段】  （Ａ）に示すように、「ヒストグラム」「モアレ」「白飛び」「スポット測光」・・・等の撮影用語ＷＡを表示させ、ユーザがいずれかの用語、例えば「白飛び」を選択すると、（Ｃ）に示すように、液晶表示部９に現在光学レンズによって撮像素子上に結像され、且つ「白飛び」が発生するように各種撮影パラメータが設定された状態の被写体画像ＰＢを表示させる。ユーザが撮影を実行すると、これに応答して被写体画像ＰＢの画像データをバッファに退避させて一時記憶させる。引き続き、用語ＲＯＭから指定用語（本例の場合「白飛び」）に該当する現象の説明を検出し、（Ｄ）に示すように、被写体画像ＰＢにおいて白飛びが発生しているエリアにシンボルＹを表示させるとともに、用語解説データを表示させる。【選択図】        図３
2005109767.tif 000002
【特許請求の範囲】
【請求項１】
表示手段と、
撮影に関連する用語を示す用語データを記憶してなる用語記憶手段と、
この用語記憶手段に記憶されている用語データの何れか選択する用語選択手段と、
画像データを取得する取得手段と、
この取得手段により取得された前記画像データ中において、前記用語選択手段により選択された用語データが示す用語に対応する現象を検出する検出手段と、
前記表示手段に、前記画像データに基づく画像を表示させるとともに、この画像における前記現象発生部分を表示させる表示制御手段と
を備えることを特徴とする撮影関連用語解説装置。
【請求項２】
前記表示制御手段は、前記現象発生部分とともに更に前記選択された用語データが示す用語を前記表示手段に表示させることを特徴とする請求項１記載の撮影関連用語解説装置。
【請求項３】
前記用語記憶手段は、前記撮影に関連する用語を示す用語データとともに、各用語の解説を示す解説データを記憶してなり、
前記表示制御手段は、更に前記用語選択手段により選択された用語データが示す用語に対応する解説データに基づく解説を、前記表示手段に表示させることを特徴とする請求項１又は２記載の撮影関連用語解説装置。
【請求項４】
前記表示制御手段は、前記画像における前記現象発生部分を取り囲む態様で表示することを特徴とする請求項１、２又は３記載の撮影用語解説装置。
【請求項５】
前記選択手段により選択された用語データに対応して色データを記憶する色データ記憶手段を更に備え、
前記表示制御手段は、前記画像における前記現象発生部分を取り囲む枠を前記色データが示す色の枠で表示することを特徴とする請求項１、２又は３記載の撮影用語解説装置。
【請求項６】
前記表示制御手段は、前記画像における前記現象発生部分を他の部分と異なる表示態様で表示することを特徴とする請求項１、２又は３記載の撮影用語解説装置。
【請求項７】
前記取得手段は、前記用語選択手段により選択された用語データが示す用語の現象が生ずるように撮影を行って、前記画像データを取得する撮影手段であることを特徴とする請求項１、２又は３記載の撮影用語解説装置。
【請求項８】
被写体を撮影して画像データを生成する撮影手段と、
この撮影手段により生成された画像データを記憶する画像記憶手段と、
この画像記憶手段に記憶されているいずれかの画像データを選択する画像選択手段と
を更に備え、
前記取得手段は、前記画像選択手段により選択された画像データを取得し、
前記検出手段は、この選択取得された画像データ中において、前記用語選択手段により選択された用語データが示す用語に対応する現象を検出することを特徴とする請求項１、２又は３記載の撮影用語解説装置。
【請求項９】
前記画像データ中における前記現象を補正した画像データを生成する画像データ生成手段を更に備え、
前記表示制御手段は、更に前記画像データ中における前記現象を補正した画像を前記表示手段に表示させることを特徴とする請求項請求項８記載の撮影用語解説装置。
【請求項１０】
前記画像記憶手段は、この画像データ生成手段により生成された前記現象を補正した画像データを更に記憶することを特徴とする請求項９記載の撮影用語解説装置。
【請求項１１】
被写体画像を結像させる光学系を更に備え、
前記取得手段は、前記光学系により結像された被写体画像の画像データを取得し、
前記表示制御手段は、前記表示手段に、前記画像データに基づく被写体画像を表示させるとともに、この被写体画像における前記現象発生部分を表示させることを特徴とする請求項１、２又は３記載の撮影関連用語解説装置。
【請求項１２】
表示手段と、
撮影に関連する用語を示す用語データを記憶してなる用語記憶手段と、
前記表示手段に画像を表示させる第１の表示制御手段と、
この第１の表示制御手段により前記表示手段に表示された画像中において、前記用語記憶手段に記憶されている用語データが示す用語に対応する現象を検出する検出手段と、
前記用語記憶手段に記憶されている用語データに基づき、前記検出手段により検出された現象を示す用語を前記表示手段に表示させる第２の表示制御手段と
を備えることを特徴とする撮影関連用語解説装置。
【請求項１３】
被写体画像を結像させる光学系を更に備え、
前記第１の表示制御手段が、前記光学系により結像された被写体画像を前記表示手段に表示させ、
前記検出手段は、この第１の表示制御手段により前記表示手段に表示された被写体画像中において、前記用語記憶手段に記憶されている用語データが示す用語に対応する現象を検出することを特徴とする請求項１２記載の撮影関連用語解説装置。
【請求項１４】
前記第１の表示制御手段の制御により前記表示手段に表示された被写体像の任意の範囲を指定する指定手段を更に備え、
前記検出手段は、前記指定手段により指定された範囲内の画像において、前記用語記憶手段に記憶されている用語データが示す用語に対応する現象を検出することを特徴とする請求項１２又は１３記載の撮影関連用語解説装置。
【請求項１５】
前記用語記憶手段は、前記撮影に関連する用語を示す用語データとともに、各用語の解説を示す解説データを記憶してなり、
前記第２の表示制御手段は、前記用語データが示す用語に対応する解説データに基づく解説を、更に前記表示手段に表示させることを特徴とする請求項１２、１３又は１４記載の撮影関連用語解説装置。
【請求項１６】
表示手段と、撮影に関連する用語を示す用語データを記憶してなる用語記憶手段と、
この用語記憶手段に記憶されている用語データの何れか選択する用語選択手段と、画像データを取得する取得手段とを備える撮影関連用語解説装置が有するコンピュータを、
前記取得手段により取得された前記画像データ中において、前記用語選択手段により選択された用語データが示す用語に対応する現象を検出する検出手段と、
前記表示手段に、前記画像データに基づく画像を表示させるとともに、この画像における前記現象発生部分を表示させる表示制御手段と
して機能させることを特徴とする撮影関連用語解説プログラム。
【請求項１７】
前記表示制御手段は、前記現象発生部分とともに更に前記選択された用語データが示す用語を前記表示手段に表示させることを特徴とする請求項１６記載の撮影関連用語解説プログラム。
【請求項１８】
前記用語記憶手段は、前記撮影に関連する用語を示す用語データとともに、各用語の解説を示す解説データを記憶してなり、
前記表示制御手段は、更に前記用語選択手段により選択された用語データが示す用語に対応する解説データに基づく解説を、前記表示手段に表示させることを特徴とする請求項１５又は１６記載の撮影関連用語解説プログラム。
【請求項１９】
表示手段と、撮影に関連する用語を示す用語データを記憶してなる用語記憶手段と、
この用語記憶手段に記憶されている用語データの何れか選択する用語選択手段と、画像データを取得する取得手段とを備える装置おける撮影関連用語解説制御方法であって、
前記取得手段により取得された前記画像データ中において、前記用語選択手段により選択された用語データが示す用語に対応する現象を検出する検出工程と、
前記表示手段に、前記画像データに基づく画像を表示させるとともに、この画像における前記現象発生部分を表示させる表示制御工程と
を含むことを特徴とする撮影関連用語解説制御方法。
【請求項２０】
前記表示制御工程では、前記現象発生部分とともに更に前記選択された用語データが示す用語を前記表示手段に表示させることを特徴とする請求項１９記載の撮影関連用語解説制御方法。
【請求項２１】
前記用語記憶手段は、前記撮影に関連する用語を示す用語データとともに、各用語の解説を示す解説データを記憶してなり、
前記表示制御工程では、更に前記用語選択手段により選択された用語データが示す用語に対応する解説データに基づく解説を、前記表示手段に表示させることを特徴とする請求項１９又は２０記載の撮影関連用語解説制御方法。
【発明の詳細な説明】
【技術分野】
【０００１】
本発明は、撮影関連用語解説装置、撮影関連用語解説プログラム及び撮影関連用語解説制御方法に関する。
【背景技術】
【０００２】
今日においては、デジタルカメラ（例えば、特許文献１参照。）あるいはデジタルカメラ付き携帯電話等の普及に伴って、一般ユーザにおいてカメラに接する機会が多くなっており、また、これらデジタルカメラ等に関する書物も出版されるに至っている。
【特許文献１】特開平１０−３０４２９０号公報
【発明の開示】
【発明が解決しようとする課題】
【０００３】
しかしながら、デジタルカメラは一般的に普及はしているものの、カメラ技術に関する用語は専門的なものが多く、一般的ユーザにあまり理解されていない。無論、書物によって用語の意味を理解することも可能ではあるが容易ではなく、用語が画像の現象に関するものである場合には、特に文書的な説明では真の理解が得られない場合ある。
【０００４】
本発明は、かかる従来の課題に鑑みてなされたものであり、ユーザに撮影に関する用語の意味を容易に理解させることのできる撮影関連用語解説装置、撮影関連用語解説プログラム及び撮影関連用語解説制御方法を提供することを目的とするものである。
【課題を解決するための手段】
【０００５】
前記課題を解決するために請求項１記載の発明に係る撮影関連用語解説装置は、表示手段と、撮影に関連する用語を示す用語データを記憶してなる用語記憶手段と、この用語記憶手段に記憶されている用語データの何れか選択する用語選択手段と、画像データを取得する取得手段と、この取得手段により取得された前記画像データ中において、前記用語選択手段により選択された用語データが示す用語に対応する現象を検出する検出手段と、前記表示手段に、前記画像データに基づく画像を表示させるとともに、この画像における前記現象発生部分を表示させる表示制御手段とを備える。
【０００６】
したがって、ユーザが知ろうとする用語を選択すると、取得した画像データ中において用語に対応する現象が検出されて、取得した画像とともにこの画像における当該現象発生部分が表示される。よって、ユーザは表示された画像における当該現象発生部分を視認することにより、自己が知ろうとした用語の意味を一見して明瞭に理解することができる。
【０００７】
また、請求項２記載の発明に係る撮影関連用語解説装置は、前記表示制御手段は、前記現象発生部分とともに更に前記選択された用語データが示す用語を前記表示手段に表示させる。したがって、ユーザは自己が選択した用語と画像における現象発生部分とを同時に視認することができ、これにより迅速且つ容易な理解が可能となる。
【０００８】
また、請求項３記載の発明に係る撮影関連用語解説装置は、前記用語記憶手段は、前記撮影に関連する用語を示す用語データとともに、各用語の解説を示す解説データを記憶してなり、前記表示制御手段は、更に前記用語選択手段により選択された用語データが示す用語に対応する解説データに基づく解説を、前記表示手段に表示させる。したがって、ユーザは自己が選択した用語と画像における現象発生部分、及び用語の文言的意味とを同時に視認することができ、これにより用語を文言的及び視覚的に理解することができる。
【０００９】
また、請求項４記載の発明に係る撮影関連用語解説装置は、前記表示制御手段は、前記画像における前記現象発生部分を取り囲む態様で表示する。したがって、画像中において現象発生部分が明瞭に表示される。
【００１０】
また、請求項５記載の発明に係る撮影関連用語解説装置は、前記選択手段により選択された用語データに対応して色データを記憶する色データ記憶手段を更に備え、前記表示制御手段は、前記画像における前記現象発生部分を取り囲む枠を前記色データが示す色の枠で表示する。したがって、画像中において現象発生部分が、ユーザにより選択された色の枠で一層明瞭に表示される。
【００１１】
また、請求項６記載の発明に係る撮影関連用語解説装置は、前記表示制御手段は、前記画像における前記現象発生部分を他の部分と異なる表示態様で表示する。これにより、画像中における現象発生部分の明瞭化が可能となる。
【００１２】
また、請求項７記載の発明に係る撮影関連用語解説装置は、前記取得手段は、前記用語選択手段により選択された用語データが示す用語の現象が生ずるように撮影を行って、前記画像データを取得する撮影手段である。したがって、表示される画像を、確実に選択された用語の現象が生じているものとなる。
【００１３】
また、請求項８記載の発明に係る撮影関連用語解説装置は、被写体を撮影して画像データを生成する撮影手段と、この撮影手段により生成された画像データを記憶する画像記憶手段と、この画像記憶手段に記憶されているいずれかの画像データを選択する画像選択手段とを更に備え、前記取得手段は、前記画像選択手段により選択された画像データを取得し、前記検出手段は、この選択取得された画像データ中において、前記用語選択手段により選択された用語データが示す用語に対応する現象を検出する。したがって、この発明をデジタルカメラにそのまま適用することができ、自己が知ろうとした用語の意味を一見して明瞭に理解することができるデジタルカメラを提供することができる。
【００１４】
また、請求項９記載の発明に係る撮影関連用語解説装置は、前記画像データ中における前記現象を補正した画像データを生成する画像データ生成手段を更に備え、前記表示制御手段は、更に前記画像データ中における前記現象を補正した画像を前記表示手段に表示させる。したがって、撮影記録した画像に選択された用語に対応する現象が生じている画像があると、ユーザは当該現象が生じていない適正な画像を視認することもでき、これにより用語の意味のみならず、その補正方法の理解に及ぶことができる。
【００１５】
また、請求項１０記載の発明に係る撮影関連用語解説装置は、前記画像記憶手段は、この画像データ生成手段により生成された前記現象を補正した画像データを更に記憶する。したがって、撮影記録した画像に選択された用語に対応する現象が生じている画像がある場合、当該現象が生じていない適正な画像を記録することができる。
【００１６】
また、請求項１１記載の発明に係る撮影関連用語解説装置は、被写体画像を結像させる光学系を更に備え、前記取得手段は、前記光学系により結像された被写体画像の画像データを取得し、前記表示制御手段は、前記表示手段に、前記画像データに基づく被写体画像を表示させるとともに、この被写体画像における前記現象発生部分を表示させる。したがって、撮影記録する前の被写体画像において、自己が知ろうとした用語の意味を一見して明瞭に理解することができる。
【００１７】
また、請求項１２記載の発明に係る撮影関連用語解説装置は、表示手段と、撮影に関連する用語を示す用語データを記憶してなる用語記憶手段と、前記表示手段に画像を表示させる第１の表示制御手段と、この第１の表示制御手段により前記表示手段に表示された画像中において、前記用語記憶手段に記憶されている用語データが示す用語に対応する現象を検出する検出手段と、前記用語記憶手段に記憶されている用語データに基づき、前記検出手段により検出された現象を示す用語を前記表示手段に表示させる第２の表示制御手段とを備える。したがって、ユーザが表示されている画像中にある現象が生じていると、当該現象を示す用語が表示される。したがって、請求項１〜１１記載の発明とは逆に、ユーザは画像中に所持ている現象から当該現象を示す用語を知ることができる。
【００１８】
また、請求項１３記載の発明に係る撮影関連用語解説装置は、被写体画像を結像させる光学系を更に備え、前記第１の表示制御手段が、前記光学系により結像された被写体画像を前記表示手段に表示させ、前記検出手段は、この第１の表示制御手段により前記表示手段に表示された被写体画像中において、前記用語記憶手段に記憶されている用語データが示す用語に対応する現象を検出する。したがって、撮影記録する前の被写体画像においてある現象が生じていると、ユーザは当該現象の用語を知ることができる。
【００１９】
また、請求項１４記載の発明に係る撮影関連用語解説装置は、前記第１の表示制御手段の制御により前記表示手段に表示された被写体像の任意の範囲を指定する指定手段を更に備え、前記検出手段は、前記指定手段により指定された範囲内の画像において、前記用語記憶手段に記憶されている用語データが示す用語に対応する現象を検出する。したがって、ユーザが表示されている画像中に生じている現象の発生部分を指定すると、この現象を示す用語が表示される。よって、ユーザは、自己が知りたい表示された画像における現象発生部分の用語を迅速に知ることができる。
【００２０】
また、請求項１５記載の発明に係る撮影関連用語解説装置は、前記用語記憶手段は、前記撮影に関連する用語を示す用語データとともに、各用語の解説を示す解説データを記憶してなり、前記第２の表示制御手段は、前記用語データが示す用語に対応する解説データに基づく解説を、更に前記表示手段に表示させる。よって、ユーザは、自己が知りたい表示された画像における現象発生部分の用語のみならず、その意味を迅速に知ることができる。
【００２１】
また、請求項１６記載の発明に係る撮影関連用語解説プログラムは、表示手段と、撮影に関連する用語を示す用語データを記憶してなる用語記憶手段と、この用語記憶手段に記憶されている用語データの何れか選択する用語選択手段と、画像データを取得する取得手段とを備える撮影関連用語解説装置が有するコンピュータを、前記取得手段により取得された前記画像データ中において、前記用語選択手段により選択された用語データが示す用語に対応する現象を検出する検出手段と、前記表示手段に、前記画像データに基づく画像を表示させるとともに、この画像における前記現象発生部分を表示させる表示制御手段として機能させる。したがって、前記コンピュータがこのプログラムに従って処理を実行することにより、請求項１記載の発明と同様の作用効果を奏する。
【００２２】
また、請求項１７記載の発明に係る撮影関連用語解説プログラムは、前記表示制御手段は、前記現象発生部分とともに更に前記選択された用語データが示す用語を前記表示手段に表示させる。したがって、前記コンピュータがこのプログラムに従って処理を実行することにより、請求項２記載の発明と同様の作用効果を奏する。
【００２３】
また、請求項１８記載の発明に係る撮影関連用語解説プログラムは、前記用語記憶手段は、前記撮影に関連する用語を示す用語データとともに、各用語の解説を示す解説データを記憶してなり、前記表示制御手段は、更に前記用語選択手段により選択された用語データが示す用語に対応する解説データに基づく解説を、前記表示手段に表示させる。したがって、前記コンピュータがこのプログラムに従って処理を実行することにより、請求項３記載の発明と同様の作用効果を奏する。
【００２４】
また、請求項１９記載の発明に係る撮影関連用語解説制御方法は、表示手段と、撮影に関連する用語を示す用語データを記憶してなる用語記憶手段と、この用語記憶手段に記憶されている用語データの何れか選択する用語選択手段と、画像データを取得する取得手段とを備える装置おける撮影関連用語解説制御方法であって、前記取得手段により取得された前記画像データ中において、前記用語選択手段により選択された用語データが示す用語に対応する現象を検出する検出工程と、前記表示手段に、前記画像データに基づく画像を表示させるとともに、この画像における前記現象発生部分を表示させる表示制御工程とを含む。したがって、記載した工程に従って処理を実行することにより、請求項１記載の発明と同様の作用効果を奏する。
【００２５】
また、請求項２０記載の発明に係る撮影関連用語解説制御方法は、前記表示制御工程では、前記現象発生部分とともに更に前記選択された用語データが示す用語を前記表示手段に表示させる。したがって、記載した工程に従って処理を実行することにより、請求項２記載の発明と同様の作用効果を奏する。
【００２６】
また、請求項２１記載の発明に係る撮影関連用語解説制御方法は、前記用語記憶手段は、前記撮影に関連する用語を示す用語データとともに、各用語の解説を示す解説データを記憶してなり、前記表示制御工程では、更に前記用語選択手段により選択された用語データが示す用語に対応する解説データに基づく解説を、前記表示手段に表示させる。したがって、記載した工程に従って処理を実行することにより、請求項３記載の発明と同様の作用効果を奏する。
【発明の効果】
【００２７】
請求項１、１６、１９記載の発明によれば、ユーザが知ろうとする用語を選択すると、取得した画像データ中において用語に対応する現象が検出されて、取得した画像とともにこの画像における当該現象発生部分を表示させることができる。よって、ユーザは表示された画像における当該現象発生部分を視認することにより、自己が知ろうとした用語の意味を一見して明瞭に理解することができる。
【００２８】
また、請求項２、１７、２０記載の発明によれば、ユーザは自己が選択した用語と画像における現象発生部分とを同時に視認することができ、これにより迅速且つ容易な理解が可能となる。
【００２９】
また、請求項３、１８、２１記載の発明によれば、ユーザは自己が選択した用語と画像における現象発生部分、及び用語の文言的意味とを同時に視認することができ、これにより用語を文言的及び視覚的に理解することができる。
【００３０】
また、請求項４記載の発明によれば、画像中において現象発生部分を明瞭に表示することができる。
【００３１】
また、請求項５記載の発明によれば、画像中において現象発生部分を、ユーザにより選択された色の枠で一層明瞭に表示することができる。
【００３２】
また、請求項６記載の発明によれば、画像中における現象発生部分の明瞭化が可能となる。
【００３３】
また、請求項７記載の発明によれば、表示される画像を、確実に選択された用語の現象が生じているものにすることができる。
【００３４】
また、請求項８記載の発明によれば、この発明をデジタルカメラにそのまま適用することができ、自己が知ろうとした用語の意味を一見して明瞭に理解することができるデジタルカメラを提供することができる。
【００３５】
また、請求項９記載の発明によれば、撮影記録した画像に選択された用語に対応する現象が生じている画像があると、ユーザは当該現象が生じていない適正な画像を視認することもでき、これにより用語の意味のみならず、その補正方法の理解に及ぶことができる。
【００３６】
また、請求項１０記載の発明によれば、撮影記録した画像に選択された用語に対応する現象が生じている画像がある場合、当該現象が生じていない適正な画像を記録することができる。
【００３７】
また、請求項１１記載の発明によれば、撮影記録する前の被写体画像において、自己が知ろうとした用語の意味を一見して明瞭に理解することができる。
【００３８】
また、請求項１２記載の発明によれば、ユーザが表示されている画像中にある現象が生じていると、当該現象を示す用語が表示されることから、請求項１〜１１記載の発明とは逆に、ユーザは画像中に所持ている現象から当該現象を示す用語を知ることができる。
【００３９】
また、請求項１３記載の発明によれば、撮影記録する前の被写体画像においてある現象が生じていると、ユーザは当該現象の用語を知ることができる。
【００４０】
また、請求項１４記載の発明によれば、ユーザが表示されている画像中に生じている現象の発生部分を指定すると、この現象を示す用語が表示されことから、ユーザは、自己が知りたい表示された画像における現象発生部分の用語を迅速に知ることができる。
【００４１】
また、請求項１５記載の発明によれば、ユーザは、自己が知りたい表示された画像における現象発生部分の用語のみならず、その意味を迅速に知ることができる。
【発明を実施するための最良の形態】
【００４２】
（第１の実施の形態）
以下、本発明の第１の実施の形態を図に従って説明する。図１は、本発明を適用した各実施の形態に共通するデジタルカメラ１の電気的な回路構成を示すブロック図である。このデジタルカメラ１は、本体の前面に配置された光学レンズ２、この光学レンズ２により絞り３を介して結像されるＣＣＤ等の撮像素子４と、撮像素子４を駆動するためのＴＧ５と、撮像素子４から出力された撮影信号を保持するＣＤＳ、その撮影信号を増幅するゲイン調整アンプ（ＡＧＣ）、増幅後の撮影信号をデジタル信号に変換するＡ／Ｄ変換器（ＡＤ）からなるユニット回路６を有している。そして、被写体の像が光学レンズ２及び絞り３を介して撮像素子４上に結像され、撮像素子４は信号を出力する。この撮像素子４から出力された信号は、ユニット回路６にて、サンプリング、増幅、デジタル化され、画像処理回路／ＣＰＵ７に送られて、この画像処理回路／ＣＰＵ７内で輝度に変換され、輝度の積分やヒストグラム処理が行われる。
【００４３】
前記光学レンズ２は、ＡＦ（Auto Focus）モータ等を備えるレンズ駆動回路８に保持されており、レンズ駆動回路８が画像処理回路／ＣＰＵ７の制御により駆動されることにより光軸方向に移動し、撮像素子４に結像される被写体像のフォーカス、及び拡大倍率を調整する。また、ＡＥ（Auto Exposure）制御時には、撮像素子４が、画像処理回路／ＣＰＵ７から送られるシャッターパルスに基づきＴＧ５によって駆動され、その電荷蓄積時間を制御される。これにより電子シャッターが実現される。
【００４４】
画像処理回路／ＣＰＵ７は各種の信号処理、及び画像処理機能を備えたものであり、ユニット回路６を経てデジタル信号に変換された画像データを表示バッファ１３に出力することにより、撮像素子４によって撮影した被写体像をスルー画像としてＴＦＴ液晶モニター等からなる液晶表示部９にカラー表示させる。また、撮影時には、撮影信号を圧縮してＪＰＥＧフォーマットの画像ファイルを生成し、それを最終的にはフラッシュメモリ等からなる着脱自在な記憶メディア１０に記憶させ、再生時には圧縮した画像ファイルを伸張して液晶表示部９に表示させる。なお、液晶表示部９には、タッチ検出部１７が積層されており、後述するようにペンで液晶表示部９にタッチした際のタッチ位置情報が画像処理回路／ＣＰＵ７に入力されるように構成されており、また、画像処理回路／ＣＰＵ７は、現在日時を計時する時計部７０１を備えている。
【００４５】
さらに、画像処理回路／ＣＰＵ７には、操作キー部１１、ＲＯＭ１２、表示バッファ１３、バッファ１４、絞り駆動部１５、ＲＡＭ１６が接続されている。操作キー部１１には、電源キー、シャッターキー、カーソルキー、モード設定キー、その他本実施の形態において必要となるキーを有する。ＲＯＭ１２は、画像処理回路／ＣＰＵ７による各部の制御及び各種データ処理に必要な動作プログラムや後述するフローチャートに示す処理を実行するためのプログラムが記憶されているとともに、用語ＲＯＭ１２１が設けられている。この用語ＲＯＭ１２１には、所謂カメラ用語と称される撮影に関連する用語の用語一覧データと、各用語と用語の解説（用語の意味、用語が現象である場合には現象の説明等）とを示す解説一覧データ等が記憶されている。無論、これら用語一覧データや解説一覧データは液晶表示部９に表示可能なデータである。
【００４６】
表示バッファ１３は、前記液晶表示部９に表示させる画像データを一時的に格納し、バッファ１４は、後述するフローチャートに示すように、画像処理回路／ＣＰＵ７が処理を行う際に画像データを一時的に格納する。絞り駆動部１５は前記絞り３を駆動する回路部である。ＲＡＭ１６は、各種データの記憶や画像処理回路／ＣＰＵ７のワークエリアとして使用される。
【００４７】
以上の構成にかかる本実施の形態において、図２のフローチャートに示すように、ユーザが操作キー部１１にて電源キーを操作し、このデジタルカメラ１の電源をオンにすると（ステップＵ１０１）、デジタルカメラ１の画像処理回路／ＣＰＵ７は前記プログラムに基づき、同図のフローチャートに示す処理を実行する。すなわち、電源オンを検知して（ステップＳ１０１）、設定モード開始処理を実行し（ステップＳ１０２）、各種モードの設定を受け付ける状態を形成する。
【００４８】
この状態において、ユーザが操作キー部１１にての操作により用語説明モードを設定すると（ステップＵ１０２）、画像処理回路／ＣＰＵ７はこれを検知する（ステップＳ１０３）。そして、用語ＲＯＭ１２１から用語一覧データを読み出して液晶表示部９に出力する（ステップＳ１０４）。このステップＳ１０４での処理により、デジタルカメラ１の液晶表示部９には、図３（Ａ）に示すように、「ヒストグラム」「モアレ」「白飛び」「スポット測光」・・・等の撮影用語ＷＡが表示されることとなる。
【００４９】
この表示を視認したユーザが操作キー部１１にての操作により、いずれかの用語を選択し、選択を確定させる操作を行うと（ステップＵ１０３）、画像処理回路／ＣＰＵ７はこれを検知する（ステップＳ１０５）。しかる後に、ＡＦ及びＡＥ制御を行って各種パラメータを自動設定する（ステップＳ１０６）。これにより、図３（Ｂ）に示すように、液晶表示部９には現在光学レンズ２によって撮像素子４上に結像され、且つＡＦ及びＡＥ制御された被写体画像ＰＡが表示される。引き続き、撮影実行メッセージを液晶表示部９に出力する（ステップＳ１０７）。このステップＳ１０７での処理により、図３（Ｂ）に示すように、前記被写体画像ＰＡ上に「１枚目を撮影してください」なる撮影実行メッセージＭ１が表示される。
【００５０】
この撮影実行メッセージＭ１を視認したユーザが操作キー部１１にてシャッターキーを操作し、撮影を実行すると（ステップＵ１０４）、画像処理回路／ＣＰＵ７はこれを検知する（ステップＳ１０８）。そして、この検知に応答して画像記録処理を行い、前記被写体画像ＰＡの画像データを記憶メディア１０に保存する（ステップＳ１０９）。つまり、被写体の像が光学レンズ２及び絞り３を介して結像された撮像素子４からの信号は、ユニット回路６にてデジタル化され、画像処理回路／ＣＰＵ７内で処理が施されて、ＪＰＥＧフォーマットの画像ファイルに生成され、記憶メディア１０に記憶される。
【００５１】
引き続き、同一の被写体画像ＰＡの画像データをＲＡＭ１６のワークエリアに退避させて一時記憶させ（ステップＳ１１０）、この被写体画像ＰＡの画像データの画像を解析する（ステップＳ１１１）。そして、この解析結果を用いて、前述したユーザにより選択された用語に該当する現象が生ずるように、各種撮影パラメータを再設定する（ステップＳ１１２）。
【００５２】
つまり、図３（Ａ）の表示例において、例えば「白飛び」が選択されたとすると、ＡＥで撮影されて記録された被写体画像ＰＡの画像データにおいて、「白飛び」が発生するように、各種撮影パラメータを再設定する。これにより、図３（Ｃ）に示すように、液晶表示部９には現在光学レンズ２によって撮像素子４上に結像され、且つ「白飛び」が発生するように各種撮影パラメータが設定された状態の被写体画像ＰＢが表示される。引き続き、撮影実行メッセージを液晶表示部９に出力する（ステップＳ１１３）。このステップＳ１１３での処理により、図３（Ｃ）に示すように、前記被写体画像ＰＢ上に「２枚目を撮影してください」なる撮影実行メッセージＭ２が表示される。
【００５３】
この撮影実行メッセージＭ２を視認したユーザが操作キー部１１にてシャッターキーを操作し、撮影を実行すると（ステップＵ１０５）、画像処理回路／ＣＰＵ７はこれを検知する（ステップＳ１１４）。そして、この検知に応答して被写体画像ＰＢの画像データをバッファ１４に退避させて一時記憶させる（ステップＳ１１５）。引き続き、用語ＲＯＭ１２１から指定用語（本例の場合「白飛び」）に該当する現象の説明を検出する処理を実行し（ステップＳ１１６）、この指定用語に該当する現象の説明を検出するまでステップＳ１１２があるか否かを判断する（ステップＳ１１７）。
【００５４】
そして、指定用語に該当する現象の説明を検出するまで待機し、検出したならば（ステップＳ１１７；ＹＥＳ）、被写体画像ＰＢの画像データを前述同様の処理を行って記憶メディア１０に記憶させる（ステップＳ１１８）。また、液晶表示部９に被写体画像ＰＢを表示させるとともに、この画像ＰＢの該当エリアにシンボルを表示する。つまり、本例における指定用語は「白飛び」であることから、図３（Ｄ）に示すように、被写体画像ＰＢにおいて白飛びが発生しているエリアにシンボルＹを表示させる（ステップＳ１１９）。さらに、用語ＲＯＭ１２１から読み出した用語解説データを液晶表示部９に表示させる（ステップＳ１２０）。
【００５５】
したがって、このステップＳ１１９及びＳ１２０での処理により、図３（Ｄ）に示すように、被写体画像ＰＢの白飛びエリアにシンボルＹが表示され、かつ『光の加減で、本来白でないはずの画面の一部が完全に白になっています。これを「白飛び」といいます』なる白飛びの解説Ｅが表示される。したがって、ユーザがこれを視認することにより、「白飛び」の意味を文言的に理解することができるのみならず、視覚的にも理解することが可能となる。
【００５６】
（第２の実施の形態）
【００５７】
図４、５は、本発明の第２の実施の形態を示すものである。図４のフローチャートに示すように、デジタルカメラ１のユーザが操作キー部１１にて電源キーを操作し、このデジタルカメラ１の電源をオンにすると（ステップＵ２０１）、デジタルカメラ１の画像処理回路／ＣＰＵ７は前記プログラムに基づき、同図のフローチャートに示す処理を実行する。すなわち、電源オンを検知して（ステップＳ２０１）、設定モード開始処理を実行し（ステップＳ２０２）、各種モードの設定を受け付ける状態を形成する。
【００５８】
この状態において、ユーザが操作キー部１１にての操作により用語説明モードを設定すると（ステップＵ２０２）、画像処理回路／ＣＰＵ７はこれを検知する（ステップＳ２０３）。そして、用語ＲＯＭ１２１から用語一覧データを読み出して液晶表示部９に出力する（ステップＳ２０４）。このステップＳ２０４での処理により、デジタルカメラ１の液晶表示部９には、図５（Ａ）に示すように、「ヒストグラム」「モアレ」「白飛び」「スポット測光」・・・等の撮影用語ＷＡが表示されることとなる。
【００５９】
この表示を視認したユーザが操作キー部１１にての操作により、いずれかの用語を選択し、選択を確定させる操作を行うと（ステップＵ２０３）、画像処理回路／ＣＰＵ７はこれを検知する（ステップＳ２０５）。しかる後に、記憶メディア１０に記憶されている画像データを検索する（ステップＳ２０６）（図５（Ｂ））。そして、この検索の結果、選択された用語に該当する現象を含む画像データ（本例の場合、「白飛び」を含む画像データ）があるか否かを判断する（ステップＳ２０７）。用語に該当する現象を含む画像データが記憶メディア１０に記憶されていない場合には、その旨のメッセージを液晶表示部９に表示し（ステップＳ２０８）、別処理に移行する。
【００６０】
また、用語に該当する現象を含む画像データが記憶メディア１０に記憶されている場合には（ステップＳ２０７；ＹＥＳ）、記憶メディア１０内の当該画像データをバッファ１４に出力する（ステップＳ２０９）。さらに、バッファ１４に格納された画像データに基づく画像内の当該現象部分（「白飛び」が生じている部分）に、後述のシンボルＹを表示させるためのシンボルデータを上書きする（ステップＳ２１０）。
【００６１】
しかる後に、画像データにシンボルデータが付加されたバッファ１４内データを表示バッファ１３に出力するとともに（ステップＳ２１１）、前記選択された用語の用語解説データを用語ＲＯＭ１２１から読み出して、表示バッファ１３に出力する（ステップＳ２１２）。このステップＳ２１１及びステップＳ２１２での処理に伴って、図５（Ｃ−１）に示すように、記録画像（記憶メディア１０に記憶されている画像）ＰＣにおいて白飛びが発生しているエリアにシンボルＹが表示され、かつ『光の加減で、本来白でないはずの画面の一部が完全に白になっています。これを「白飛び」といいます』なる白飛びの解説Ｅが表示される。したがって、ユーザがこれを視認することにより、「白飛び」の意味を文言的に理解することができるのみならず、視覚的にも理解することが可能となる。
【００６２】
次に、この表示を視認したユーザが操作キー部１１にて、補正実行操作を行うと（ステップＵ２０４）、画像処理回路／ＣＰＵ７はこれを検知する（ステップＳ２１３）。そして、バッファ１４内において、格納してある前記画像データの用語解説現象（白飛び）を補正した画像データを生成し（ステップＳ２１４）、この補正した画像データを表示バッファ１３に出力する（ステップＳ２１５）。このステップＳ２１５での処理に伴って、液晶表示部９には、図５（Ｃ−２）に示すように、白飛びが発生しない状態に補正された比較用画像ＰＤが表示されることとなる。したがって、ユーザがこれを視認することにより、「白飛び」が発生していない適正な画像を確認することもできる。
【００６３】
（第３の実施の形態）
【００６４】
図６、７は、本発明の第３の実施の形態を示すものである。図６のフローチャートに示すように、デジタルカメラ１のユーザが操作キー部１１にて電源キーを操作し、このデジタルカメラ１の電源をオンにすると（ステップＵ３０１）、デジタルカメラ１の画像処理回路／ＣＰＵ７は前記プログラムに基づき、同図のフローチャートに示す処理を実行する。すなわち、電源オンを検知して（ステップＳ３０１）、設定モード開始処理を実行し（ステップＳ３０２）、各種モードの設定を受け付ける状態を形成する。
【００６５】
この状態において、ユーザが操作キー部１１にての操作により用語説明モードを設定すると（ステップＵ３０２）、画像処理回路／ＣＰＵ７はこれを検知する（ステップＳ３０３）。そして、用語ＲＯＭ１２１から用語一覧データを読み出して液晶表示部９に出力する（ステップＳ３０４）。このステップＳ３０４での処理により、デジタルカメラ１の液晶表示部９には、図７（Ａ）に示すように、「ヒストグラム」「モアレ」「白飛び」「スポット測光」・・・等の撮影用語ＷＡが表示されることとなる。
【００６６】
この表示を視認したユーザが操作キー部１１にての操作により、いずれかの用語を選択し、選択を確定させる操作を行うと（ステップＵ３０３）、画像処理回路／ＣＰＵ７はこれを検知する（ステップＳ３０５）。しかる後に、記憶メディア１０に記憶されている画像データを検索する（ステップＳ３０６）（図７（Ｂ））。そして、この検索の結果、選択された用語に該当する現象を含む画像データ（本例の場合、「白飛び」を含む画像データ）があるか否かを判断する（ステップＳ３０７）。用語に該当する現象を含む画像データが記憶メディア１０に記憶されていない場合には、その旨のメッセージを液晶表示部９に表示し（ステップＳ３０８）、別処理に移行する。
【００６７】
また、用語に該当する現象を含む画像データが記憶メディア１０に記憶されている場合には（ステップＳ３０７；ＹＥＳ）、記憶メディア１０内の当該画像データをバッファ１４に出力する（ステップＳ３０９）。さらに、バッファ１４に格納された画像データに基づく画像内の当該現象部分（「白飛び」が生じている部分）に、後述のシンボルＹを表示させるためのシンボルデータを上書きする（ステップＳ３１０）。
【００６８】
しかる後に、画像データにシンボルデータが付加されたバッファ１４内データを表示バッファ１３に出力するとともに（ステップＳ３１１）、前記選択された用語の用語解説データを用語ＲＯＭ１２１から読み出して、表示バッファ１３に出力する（ステップＳ３１２）。このステップＳ３１１及びステップＳ３１２での処理に伴って、図７（Ｃ）に示すように、記録画像（記憶メディア１０に記憶されている画像）ＰＣにおいて白飛びが発生しているエリアにシンボルＹが表示され、かつ『光の加減で、本来白でないはずの画面の一部が完全に白になっています。これを「白飛び」といいます』なる白飛びの解説Ｅが表示される。したがって、ユーザがこれを視認することにより、「白飛び」の意味を文言的に理解することができるのみならず、視覚的にも理解することが可能となる。
【００６９】
次に、表示バッファ１３に補正ボタンを表示させるためのデータを出力し（ステップＳ３１３）、このステップＳ３１３での処理に伴って、図７（Ｃ）に示したように、液晶表示部９に表示されている記録画像Ｐの一部に補正ボタン９０１が表示されることとなる。この補正ボタン９０１を視認したユーザが操作キー部１１にて、補正ボタン９０１に対する操作を行うと（ステップＵ３０４）、画像処理回路／ＣＰＵ７はこれを検知する（ステップＳ３１４）。そして、バッファ１４内において、格納してある前記画像データの用語解説現象（白飛び）を補正した画像データを生成し（ステップＳ３１４）、この補正した画像データを表示バッファ１３に出力する（ステップＳ３１５）。このステップＳ３１５での処理に伴って、液晶表示部９には、図７（Ｄ）に示すように、白飛びが発生しない状態に補正された比較用画像ＰＤが表示されることとなる。したがって、ユーザがこれを視認することにより、「白飛び」が発生していない適正な画像を確認することもできる。
【００７０】
しかる後に、この比較用画像ＰＤを表示させた補正後の画像データを記憶メディア１０に記憶させる。したがって、本実施の形態によれば、「白飛び」が発生した状態で記憶メディア１０に撮影記録された画像データを、当該現象が発生していない適正な画像データに補正して、記憶メディア１０に記憶させることができる。
【００７１】
（第４の実施の形態）
【００７２】
図８、９は、本発明の第４の実施の形態を示すものである。図８のフローチャートに示すように、デジタルカメラ１のユーザが操作キー部１１にて電源キーを操作し、このデジタルカメラ１の電源をオンにすると（ステップＵ４０１）、デジタルカメラ１の画像処理回路／ＣＰＵ７は前記プログラムに基づき、同図のフローチャートに示す処理を実行する。すなわち、電源オンを検知して（ステップＳ４０１）、設定モード開始処理を実行し（ステップＳ４０２）、各種モードの設定を受け付ける状態を形成する。
【００７３】
この状態において、ユーザが操作キー部１１にての操作により撮影モードを設定すると（ステップＵ４０２）、画像処理回路／ＣＰＵ７はこれを検知して（ステップＳ４０３）、撮影待機状態処理を実行する（ステップＳ４０４）。すなわち、画像処理回路／ＣＰＵ７は、光学レンズ２によって撮像素子４上に結像され、ユニット回路６を経てデジタル信号に変換された画像データを表示バッファ１３に出力することにより、撮像素子４によって撮影した被写体像を液晶表示部９に表示させる。これにより、図９（Ａ）に示すように、液晶表示部９には被写体画像ＰＡが表示される。
【００７４】
次に、ユーザが操作キー部１１にての操作により用語説明操作を実行すると（ステップＵ４０２）、画像処理回路／ＣＰＵ７はこれを検知して次の被写体画像データの取り込みを一時的に中止する（ステップＳ４０５）。しかる後に画像処理回路／ＣＰＵ７は、表示バッファ１３に現在一時記憶されている画像データによる画像から発生している現象を検出する。すなわち、表示バッファ１３に一時記憶されている画像データによる画像が、白飛び及び偽色を有しピンぼけであったとすると、これら現象白飛び、偽色、ピンぼけを検出する。
【００７５】
さらに、この検出した発生している現象に該当する用語「白飛び」、「偽色」、「ピンぼけ」を用語ＲＯＭ１２１から読み出して、表示バッファ１３に出力する（ステップＳ４０８）。このステップＳ４０８での処理に伴って、図９（Ａ）に示すように、液晶表示部９において被写体画像ＰＡの一部に現象に該当する用語ＷＢ（「白飛び」「偽色」「ピンぼけ」）が表示される。
【００７６】
そして、ユーザが操作キー部１１にての操作により、表示された用語ＷＢのいずれか、例えば図９（Ｂ）に示すように、「偽色」を選択する操作を実行すると（ステップＵ４０４）、画像処理回路／ＣＰＵ７はこれを検知する（ステップＳ４０８）。そして、この選択された用語ＷＢに対応する用語解説データを用語ＲＯＭ１２１から読み出して、表示バッファ１３に出力する（ステップＳ４０９）。このステップＳ４０９での処理に伴って、図９（Ｃ）に示すように、液晶表示部９には「偽色」の解説Ｅが表示されることとなる。さらに、液晶表示部９に表示されている被写体画像において、指定用語に該当する表示エリアにマーキングデータを上書きする（ステップＳ４１１）。
【００７７】
このステップＳ４１１での処理により、図９（Ｃ）に示すように、液晶表示部９に表示されている被写体画像ＰＡにおいて、偽色が生じている領域にマークＭがさらに表示されることとなる。したがって、ユーザがこれを視認することにより、「偽色」の意味を文言的に理解することができるのみならず、視覚的にも理解することが可能となる。
【００７８】
（第５の実施の形態）
【００７９】
図１０、１１は、本発明の第５の実施の形態を示すものである。図１０のフローチャートに示すように、デジタルカメラ１のユーザが操作キー部１１にて電源キーを操作し、このデジタルカメラ１の電源をオンにすると（ステップＵ５０１）、デジタルカメラ１の画像処理回路／ＣＰＵ７は前記プログラムに基づき、同図のフローチャートに示す処理を実行する。すなわち、電源オンを検知して（ステップＳ５０１）、設定モード開始処理を実行し（ステップＳ５０２）、各種モードの設定を受け付ける状態を形成する。
【００８０】
この状態において、ユーザが操作キー部１１にての操作により撮影モードを設定すると（ステップＵ５０２）、画像処理回路／ＣＰＵ７はこれを検知して（ステップＳ５０３）、撮影待機状態処理を実行する（ステップＳ５０４）。すなわち、画像処理回路／ＣＰＵ７は、光学レンズ２によって撮像素子４上に結像され、ユニット回路６を経てデジタル信号に変換された画像データを表示バッファ１３に出力することにより、撮像素子４によって撮影した被写体像を液晶表示部９に表示させる。これにより、図１１（Ａ）に示すように、液晶表示部９には被写体画像ＰＡが表示される。
【００８１】
次に、ユーザが操作キー部１１にての操作により用語説明操作を実行すると（ステップＵ５０３）、画像処理回路／ＣＰＵ７はこれを検知して（ステップＳ５０５）、タッチ検出部１７を起動させ、範囲指定待機状態に移行する（ステップＳ５０６）。この状態において、ユーザが図１１（Ａ）に示すように、別途設けられているペン１８を用いて、液晶表示部９に表示されている被写体画像ＰＡの任意の指定範囲Ｄを指定する範囲指定操作を行う（ステップＵ５０４）。
【００８２】
すると、この範囲指定操作に伴うペン１８のタッチ位置信号がタッチ検出部１７から画像処理回路／ＣＰＵ７に入力され、画像処理回路／ＣＰＵ７はこの指定範囲Ｄを認識するとともに、指定範囲Ｄ内の画像に存在する現象を検出する（ステップＳ５０８）。すなわち、表示バッファ１３に一時記憶されている画像データに基づく画像における指定範囲Ｄ内に、白飛び及びピンぼけであったとすると、これら現象白飛び及びピンぼけを検出する。
【００８３】
さらに、この検出した発生している現象に該当する用語「白飛び」、「ピンぼけ」を用語ＲＯＭ１２１から読み出して、表示バッファ１３に出力する（ステップＳ５０９）。このステップＳ５０８での処理に伴って、図１１（Ｂ）に示すように、液晶表示部９において被写体画像ＰＡの一部に、指定範囲Ｄと現象に該当する用語ＷＢ（「白飛び」「ピンぼけ」）、これを指し示す矢印Ａが表示される。
【００８４】
そして、ユーザが操作キー部１１にての操作により、表示された用語ＷＢのいずれか、例えば「白飛び」を選択する操作を実行すると（ステップＵ５０４）、画像処理回路／ＣＰＵ７はこれを検知する（ステップＳ５１０）。そして、この選択された用語ＷＢに対応する用語解説データを用語ＲＯＭ１２１から読み出して指定用語の説明文として、液晶表示部９に表示させる（ステップＳ５１１）。このステップＳ５１１での処理に伴って、図１１（Ｃ）に示すように、液晶表示部９には更に「白飛び」の解説Ｅが表示されることとなる。したがって、ユーザがこれを視認することにより、「白飛び」の意味を文言的に理解することができるのみならず、視覚的にも理解することが可能となる。
【００８５】
（第６の実施の形態）
【００８６】
図１２、１３は、本発明の第６の実施の形態を示すものである。図１２のフローチャートに示すように、デジタルカメラ１のユーザが操作キー部１１にて電源キーを操作し、このデジタルカメラ１の電源をオンにすると（ステップＵ６０１）、デジタルカメラ１の画像処理回路／ＣＰＵ７は前記プログラムに基づき、同図のフローチャートに示す処理を実行する。すなわち、電源オンを検知して（ステップＳ６０１）、設定モード開始処理を実行し（ステップＳ６０２）、各種モードの設定を受け付ける状態を形成する。
【００８７】
この状態において、ユーザが操作キー部１１にての操作により用語説明操作を実行すると（ステップＵ６０２）、画像処理回路／ＣＰＵ７はこれを検知して（ステップＳ６０３）、用語ＲＯＭ１２１から用語一覧データを読み出して液晶表示部９に出力し、用語選択待機状態に移行する（ステップＳ６０４）。このステップＳ６０４での処理により、デジタルカメラ１の液晶表示部９には、前記図３（Ａ）に示したように、「ヒストグラム」「モアレ」「白飛び」「スポット測光」・・・等の撮影用語ＷＡが表示されることとなる。
【００８８】
この表示を視認したユーザが操作キー部１１にての操作により、いずれかの用語を選択する操作を行うと（ステップＵ６０３）、画像処理回路／ＣＰＵ７はこれを検知する（ステップＳ６０５）。しかる後に、用語ＲＯＭ１２１から読み出した選択された用語の解説文を液晶表示部９に表示させる（ステップＳ６０６）。
【００８９】
したがって、ステップＵ６０３で「白飛び」が選択されたとすると、図１３（Ａ）に示すように、用語Ｗ「白飛び」と『光の加減で、本来白でないはずの画面の一部が完全に白になっています。これを「白飛び」といいます』なる白飛びの解説Ｅが表示される。したがって、ユーザがこれを視認することにより、「白飛び」の意味を文言的に理解することができる。
【００９０】
次に、ユーザが操作キー部１１にての操作により、例えば図１３（Ｂ）に示すように、「青色」を指定する緯度指定操作を行うと（ステップＵ６０４）、指定された色データ（青）を指定された用語（「白飛び」）と共に、ＲＡＭ１６の所定記録エリアに記憶させる（ステップＳ６０８）
【００９１】
次に、ユーザが操作キー部１１にての操作により、撮影モードを設定すると（ステップＵ６０５）、画像処理回路／ＣＰＵ７はこれを検知して（ステップＳ６０９）、撮影待機状態処理を実行する（ステップＳ６１０）。すなわち、画像処理回路／ＣＰＵ７は、光学レンズ２によって撮像素子４上に結像され、ユニット回路６を経てデジタル信号に変換された画像データを表示バッファ１３に出力することにより、撮像素子４によって撮影した被写体像を液晶表示部９に表示させる。これにより、図１３（Ｃ）に示すように、液晶表示部９には被写体画像ＰＡが表示される。
【００９２】
引き続き、この被写体画像ＰＡにおいて、前記ステップＵ６０３で選択された用語に対応する現象があるか否かを判断し（ステップＳ６１１）、当該現象がない場合にはこのフローに従った処理を終了する。また、ある場合には（ステップＳ６１１；ＹＥＳ）、この現象現象に該当する用語に色指定があるか否か、つまりＲＡＭ１６に、当該現象を示す用語に対応して色データが記憶されているか否かを判断する（ステップＳ６１２）。色指定がない場合には、このフローに従った処理を終了する。
【００９３】
しかし、ある場合には、被写体画像ＰＡにおいて指定された用語に対応する現象の発生位置を検出する（ステップＳ６１３）。そして、この検出した現象発生位置に、前記指定された色で枠を表示する（ステップＳ６１４）。したがって、このステップＳ６１４での処理により、図１３（Ｃ）に示すように、液晶表示部９に表示されている被写体画像ＰＡにおいて、選択された用語（「白飛び」）が示す現象が発生している位置に各々指定色（青）の枠Ｆが表示される。したがって、表示された枠Ｆ内の画像を部分を観察することにより、「白飛び」の意味を視覚的にも理解することが可能となる。
【００９４】
なお、この実施の形態においては、色の枠Ｆにより検出した現象発生位置に、指定された色で枠を表示するようにしたが、予め決定されている所定の色で枠を表示したり、あるいは枠を表示することなく、当該現象発生部分を選択された色あるいは所定の色で着色表示するようにしてもよい。また、各実施の形態においてはカメラ装置としてデジタルカメラ１を用いる場合を示したが、カメラ付き携帯電話やカメラ付きＰＤＡを用いるようにしてもよい。
【図面の簡単な説明】
【００９５】
【図１】本発明の各実施の形態に共通するデジタルカメラの回路構成を示すブロック図である。
【図２】第１の実施の形態における処理手順を示すフローチャートである。
【図３】同実施の形態の表示遷移図である。
【図４】第２の実施の形態における処理手順を示すフローチャートである。
【図５】同実施の形態の表示遷移図である。
【図６】第３の実施の形態における処理手順を示すフローチャートである。
【図７】同実施の形態の表示遷移図である。
【図８】第４の実施の形態における処理手順を示すフローチャートである。
【図９】同実施の形態の表示遷移図である。
【図１０】第５の実施の形態における処理手順を示すフローチャートである。
【図１１】同実施の形態の表示遷移図である。
【図１２】第６の実施の形態における処理手順を示すフローチャートである。
【図１３】同実施の形態の表示遷移図である。
【符号の説明】
【００９６】
１        デジタルカメラ
２        光学レンズ
４        撮像素子
５        ＴＧ
６        ユニット回路
７        画像処理回路／ＣＰＵ
８        レンズ駆動回路
９        液晶表示部
１０      記憶メディア
１１      操作キー部
１２      ＲＯＭ
１３      表示バッファ
１４      バッファ
１５      駆動部
１６      ＲＡＭ
１７      タッチ検出部
１８      ペン
１２１    用語ＲＯＭ
９０１    補正ボタン
Ｄ        指定範囲
Ｅ        解説
Ｆ        枠
Ｍ        マーク
Ｐ        記録画像
ＰＡ      被写体画像
ＰＢ      被写体画像
ＰＤ      比較用画像
Ｗ        用語
ＷＡ      用語
ＷＢ      用語
Ｙ        シンボル
【図１】
2005109767.tif 000003
【図２】
2005109767.tif 000004
【図３】
2005109767.tif 000005
【図４】
2005109767.tif 000006
【図５】
2005109767.tif 000007
【図６】
2005109767.tif 000008
【図７】
2005109767.tif 000009
【図８】
2005109767.tif 000010
【図９】
2005109767.tif 000011
【図１０】
2005109767.tif 000012
【図１１】
2005109767.tif 000013
【図１２】
2005109767.tif 000014
【図１３】
2005109767.tif 000015